(57)【要約】      （修正有）【課題】既存の天板を覆って、傷や汚れ等の不具合を隠すことができるとともに、展示や作業等の具体的な目的に応じた天板にでき、かつテーブルの高さや大きさも自由に設定することができるテーブルカバーを提供する。【解決手段】既存の四角形状の天板を覆うことができる合板４の上面にＶカット曲げの破断防止層５および折り曲げ耐久層６が形成され、複数の厚さ寸法の高強度薄板合板７のいずれかの厚さ寸法のものを用いた天板本体８と、この天板本体の下面からＶカット曲げ破断層までＶカット溝を形成し、Ｖカット溝が形成された部位を接着固定して形成した、天板の側面を覆うことができる側板１２とでテーブルカバー１を構成している。【選択図】図４
0003190662.tif 000002
【実用新案登録請求の範囲】
【請求項１】
既存の四角形状の天板を覆うことができる合板の上面にＶカット曲げの破断防止層および折り曲げ耐久層が形成され、複数の厚さ寸法の高強度薄板合板のいずれかの厚さ寸法のものを用いた天板本体と、この天板本体の下面からＶカット曲げ破断層までＶカット溝を形成し、該Ｖカット溝が形成された部位を接着固定して形成した、前記既存の天板の側面を覆うことができる側板とからなることを特徴とするテーブルカバー。
【請求項２】
左右および背面の側板は床面近くまで覆うように形成されていることを特徴とする請求項１記載のテーブルカバー。
【請求項３】
天板本体と側板とは合板分部に埋設された補強金具で補強されていることを特徴とする請求項１記載のテーブルカバー。
【考案の詳細な説明】
【技術分野】
【０００１】
本考案は既存の机、台、食卓、作業台、展示台、テーブル等の天板のオーバーコートとして使用することができるテーブルカバーに関する。
【背景技術】
【０００２】
従来、机、台、食卓、作業台、展示台、テーブル等の天板の保護や模様替えは布、フィルムやガラス板等の敷物や掛け物類が数多く使用されている。
これらは一般に天板の上に載せることで用が足りる場合が多いが、作業や展示に用いる際などで敷物や掛け物類を外す必要がある場合、天板自体に傷、歪みや汚れ等の不具合があったり、デザインの不釣合いや老朽化等で対応に困るという欠点があった。
【０００３】
また、事務所内の模様替えの際に、追加した年代で机のサイズやデザインが不揃いだと、天板だけ上掛けしてもサイズの凹凸等が解消せず。拡大して利用したくても、強度のない薄板材だと補強無しには天板からのはみ出し部が弱いという欠点があった。
【０００４】
さらに、一時的な目的のために買い替えや修理で時間やお金を浪費できないし、まだまだ使用できるものを廃棄したり、保管場所の準備をしなければならない等の不具合があった。
【先行技術文献】
【特許文献】
【０００５】
【特許文献１】特開２０１０−９４２８９号公報
【考案の概要】
【考案が解決しようとする課題】
【０００６】
本考案は以上のような従来の欠点に鑑み、既存の天板を覆って、既存の天板の傷や汚れ等の不具合を隠すことができるとともに、展示や作業等の具体的な目的に応じた天板にでき、かつテーブル等の高さや大きさも自由に設定することができるテーブルカバーを提供することを目的としている。
【０００７】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００８】
上記目的を達成するために、本考案は既存の四角形状の天板を覆うことができる合板の上面にＶカット曲げの破断防止層および折り曲げ耐久層が形成され、複数の厚さ寸法の高強度薄板合板のいずれかの厚さ寸法のものを用いた天板本体と、この天板本体の下面からＶカット曲げ破断層までＶカット溝を形成し、該Ｖカット溝が形成された部位を接着固定して形成した、前記既存の天板の側面を覆うことができる側板とでテーブルカバーを構成している。
【考案の効果】
【０００９】
以上の説明から明らかなように、本考案にあっては次に列挙する効果が得られる。
（１）請求項１により既存の天板の上面および側面部を覆うことができるので、既存の天板に傷、歪み、汚れがあっても、隠して新しい天板であるように見せることができ、安価に模様替えを行なうことができる。
（２）前記（１）により、厚さ寸法の異なる高強度薄板合板を選択して使用することにより、高さの異なる机やテーブル等であっても、同じ高さの机やテーブル等にすることができる。
（３）前記（１）により、天板本体の背面からＶカット曲げの破断防止層までＶカット溝を形成した側板を形成しているので、側板部材で重ねて固定する部分がなく、同じ厚さ寸法の側板にでき、既存の天板にきれいに、楽に取付けることができる。
（４）前記（１）により、既存の天板よりも大きな寸法のものを取付けることができ、サイズを容易に変えることができる。
（５）請求項２も前記（１）〜（４）と同様な効果が得られるとともに、既存の天板の左右および背面部分の側板で床面近くまでを天板本体と一体状態で覆うことができ、背面が前方に位置するように配置しても、天板本体の下部位置を左右および背面部分の側板で覆うことができ、きれいに使用することができる。
（６）請求項３も前記（１）〜（４）と同様な効果が得られるとともに、より強固に天板本体と側板とを固定することができる。
【図面の簡単な説明】
【００１０】
【図１】本考案を実施するための第１の形態の使用状態の説明図。
【図２】本考案を実施するための第１の形態の平面図。
【図３】本考案を実施するための第１の形態の正面図。
【図４】図２の４−４線に沿う断面図。
【図５】図２の５−５線に沿う断面図。
【図６】本考案を実施するための第１の形態の高強度薄板合板にＶカット溝を形成した展開状態の説明図。
【図７】図６の７−７線に沿う拡大断面図。
【図８】本考案を実施するための第１の形態の側板を折り曲げて固定する状態の説明図。
【図９】本考案を実施するための第１の形態の既存の天板に取付ける状態の説明図。
【図１０】本考案を実施するための第２の形態の使用状態の説明図。
【図１１】本考案を実施するための第２の形態の斜視図。
【図１２】図１１の１２−１２線に沿う断面図。
【図１３】本考案を実施するための第２の形態の高強度薄板合板にＶカット溝を形成した展開状態の説明図。
【図１４】図１１の１４−１４線に沿う拡大断面図。
【図１５】本考案を実施するための第３の形態の使用状態の説明図。
【図１６】本考案を実施するための第３の形態の斜視図。
【図１７】本考案を実施するための第３の形態の高強度薄板合板にＶカット溝を形成した展開状態の説明図。
【図１８】本考案を実施するための第４の形態の使用状態の説明図。
【図１９】本考案を実施するための第４の形態の斜視図。
【図２０】本考案を実施するための第４の形態の高強度薄板合板にＶカット溝を形成した展開状態の説明図。
【考案を実施するための形態】
【００１１】
以下、図面に示す本考案を実施するための形態により、本考案を詳細に説明する。
【００１２】
図１ないし図９示す本考案を実施するための第１の形態において、１は既存の四角形状の事務机２の天板３を覆うことができる本考案のテーブルカバーで、このテーブルカバー１は厚さが５．５ｍｍ、７ｍｍ、９ｍｍの、いずれかの厚さのＭＤＦ等の合板４の上面に、０．２〜０．３ｍｍの厚さの不敷布を用いたＶカット曲げの破断防止層５と、０．２ｍｍの厚さの意匠が施されたツキ板を用いた折り曲げ耐久層６が形成された高強度薄板合板７を用いて、前記天板３よりも大きくなる天板本体８と、この天板本体８の下面に位置する合板４に前記Ｖカッット曲げ破断防止層５までＶカット溝形成装置９でＶカット溝１０、１０、１０、１０を形成し、該Ｖカット溝１０、１０、１０、１０が形成された部位を、図８に示すように接着剤１１で接着固定して側板１２、１２、１２、１２を形成している。
【００１３】
なお、テーブルカバー１を形成する場合には、前記天板本体８と側板１２、１２、１２、１２を形成することができる大きさの高強度薄板合板７を用いて、図６に示すように下面の合板４部分にカット溝１０、１０、１０、１０を形成し、四角部を該Ｖカット溝１０、１０、１０、１０の溝底部分より除去して行なう。
【００１４】
この場合、天板本体８に形成するＶカット溝１０、１０、１０、１０の内側端部１０ａ、１０ａ、１０ａ、１０ａは、前記既存の天板３の端部より外側になる位置でなければならず、かつ側板１２、１２、１２、１２の高さ寸法Ｌは既存の天板３の厚さ寸法と同じあるいは少し大きな寸法に設定する。
【００１５】
このようにして製造されたテーブルカバー１は、図９に示すように既存の天板３に両面接着テープ１３あるいは接着材を接着固定し、その上に載せることにより、既存の天板３と天板本体８とが着脱可能にあるいは固定的に接着固定でき、テーブルカバー１で覆われた事務机２Ａに変えることができる。    
【００１６】
[考案を実施するための異なる形態]
次に、図１０ないし図２０に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００１７】
図１０ないし図１４に示す本考案を実施するための第２の形態において、前記本考案を実施するための第１の形態と主に異なる点は、左右の側板１２Ａ、１２Ａと背面の側板１２Ｂを床面１４近くまで覆えるように形成するとともに、左右の側板１２Ａ、１２Ａの両端部、背面の側板１２Ｂの両端部と、該部位と対向する天板本体８の合板４部分にアングル状の補強金具１５、１５を挿入せることができる補強金具挿入溝１６、１６、１６、１６を形成し、該補強金具挿入溝１６、１６、１６、１６に補強金具１５、１５を挿入して接着剤１１で固定した点で、このように構成したテーブルカバー１Ａにしても、前記本考案の第１の形態と同様な作用効果が得られるとともに、既存の事務机２の両側部と背面（前方）部位の下部位置を左右の側板１２Ａ、１２Ａ、背面の側板１２Ｂで覆うことができ、事務机２Ｂに改造して、きれいに使用することができる。
【００１８】
図１５ないし図１７に示す本考案を実施するための第３の形態において、前記本考案を実施するための第２の形態と主に異なる点は、既存の天板３よりも左右方向の寸法が長いテーブルカバー１Ｂにした点で、このようなテーブルカバー１Ｂを一側面側に隙間１７が生じるように既存の天板３に取付けることにより、大きな天板本体８Ａの事務机２Ｃにできるとともに、隙間１７部分に引き出し１８を設置して使用することもできる。
【００１９】
図１８ないし図２０に示す本考案を実施するための第４の形態において、前記本考案を実施するための第１の形態と主に異なる点は、四角に面取り部材１９、１９、１９、１９が位置するように、天板本体８と側板１２、１２、１２、１２を形成した点で、このように構成したテーブルカバー１Ｃを用いた事務机２Ｄにでき、前記本考案を実施するための第１の形態と同様な作用効果が得られる。
【００２０】
なお、前記本考案の各実施の形態では事務机２Ａ、２Ｂ、２Ｃ、２Ｄを使用するものについて説明したが、本考案は机、台、食卓、作業台、展示台、テーブル等の天板にも取付けて使用できる。
【００２１】
また、既存のテーブル等の高さ寸法が異なる場合には、高強度薄板合板７の複数の厚さ寸法を選択することにより、テーブルカバーを載せた場合には同一の高さ寸法になるようにすることもできる。
【産業上の利用可能性】
【００２２】
本考案は机、台、食卓、作業台、展示台、テーブル等の天板を覆うテーブルカバーを製造する産業で利用される。
【符号の説明】
【００２３】
１、１Ａ、１Ｂ、１Ｃ：テーブルカバー、
２、２Ａ、２Ｂ、２Ｃ、２Ｄ：事務机、
３：天板、        ４：合板、
５：Ｖカット曲げの破断防止層、６：折り曲げ耐久層、
７：高強度薄板合板、    ８、８Ａ：天板本体、
９：Ｖカット溝形成装置、    １０：Ｖカット溝、
１１：接着剤、      １２、１２Ａ、１２Ｂ：側板、
１３：両面接着テープ、    １４：床面、
１５：補強金具、      １６：補強金具挿入溝、
１７：隙間、        １８：引き出し、
１９：面取り部材。
【図１】
0003190662.tif 000003
【図２】
0003190662.tif 000004
【図３】
0003190662.tif 000005
【図４】
0003190662.tif 000006
【図５】
0003190662.tif 000007
【図６】
0003190662.tif 000008
【図７】
0003190662.tif 000009
【図８】
0003190662.tif 000010
【図９】
0003190662.tif 000011
【図１０】
0003190662.tif 000012
【図１１】
0003190662.tif 000013
【図１２】
0003190662.tif 000014
【図１３】
0003190662.tif 000015
【図１４】
0003190662.tif 000016
【図１５】
0003190662.tif 000017
【図１６】
0003190662.tif 000018
【図１７】
0003190662.tif 000019
【図１８】
0003190662.tif 000020
【図１９】
0003190662.tif 000021
【図２０】
0003190662.tif 000022